(57)【特許請求の範囲】
【請求項１】
サンプルキャリアのための少なくとも１つの受部を含む、サンプルキャリア支持体であって、サンプルキャリアは、型部分と、型部分に取り付けられた組織カセット部分とを含み、
各受部は、サンプルキャリア支持体の支持部から突出していてサンプルキャリアを位置付けるよう構成された一対のアームを有し、
受部は、サンプルキャリアを位置付けるための第１の位置と、サンプルキャリアの組織カセット部分を型部分から分離するための第２の位置とを有し、
前記第１の位置に比べて、前記第２の位置において、サンプルキャリアがサンプルキャリア支持体の支持部により近くに位置付けられる、サンプルキャリア支持体。
【請求項２】
受部は、サンプルキャリアの組織カセット部分をサンプルキャリアの型部分から分離するための分割器を有する、請求項１に記載のサンプルキャリア支持体。
【請求項３】
分割器は受部のアームの一部であり、アームの前記一部は、型部分と組織カセット部分との間隙よりも大きくなるよう寸法決めされている、請求項２に記載のサンプルキャリア支持体。
【請求項４】
サンプルキャリアの型部分は、前記第１と第２の位置において受部へ前記型部分を位置付けるように構成された位置付け手段と、前記型部分と前記組織カセット部分が前記第１の位置にある間に前記型部分へ前記組織カセット部分を取外し可能に保持する手段とを有している、請求項１に記載のサンプルキャリア支持体。
【請求項５】
前記アームの各々は前記組織カセット部分と前記型部分との間のギャップより大きな厚さを備えた傾斜部分を有し、
前記傾斜部分は、サンプルキャリア支持体が前記第１の位置から前記第２の位置へ移動させられる結果として、前記型部分から前記組織カセット部分を押し離すように構成されている、請求項ｌに記載のサンプルキャリア支持体。
【発明の詳細な説明】
【技術分野】
【０００１】
発明の分野
この発明は、組織サンプルを取扱い、包埋するための改良された装置および方法に関する。特に、この発明は、組織学的分析用の組織サンプルの自動化された取扱いおよび包埋のための装置および方法に関する。
【背景技術】
【０００２】
背景
組織学研究室内で、顕微鏡スライド上の組織切片などのサンプルを迅速にかつ高品質で準備することは、正確な分析および診断を患者に正しく提供するために不可欠である。
【０００３】
通常、組織学研究室内の作業の流れは、以下のとおりである。医師の診察室から、生検サンプルが容器に入れられて宅配便で配達される。サンプル容器には研究室に関する受入番号が付与されており、サンプル容器は次に切り分け（肉眼で見える）区域へと渡される。ここでサンプルは容器から取出されて、対象片を切除するよう切り分けられる。対象片は１つ以上の組織カセット内に配置され、そこで組織標本は、それを他のサンプルから隔離するよう、カセット内で大まかに保持される。プロセス全体を通して組織が識別できるように、各カセットにはラベルが付けられている。次のステップは、ライカ（Leica）ＡＳＰ３００といった装置において組織標本が処理されることを要する。そのような処理では、組織はアルコールを用いて脱水され、次に組織にパラフィンろうを染み込ませて、化学的に安定したブロックが形成される。一旦安定化し、ろうが染み込むと、組織は次にカセットから取出されて、切断にとって適切な位置へと方向付けられる。
【０００４】
方向付けるステップは手動で行なわれ、熟練した作業者を必要とする。組織標本を正しく位置付けることを確実にすることは、時間がかかる場合がある。このステップは通常、カセットから標本を取出すこと、それを加熱して染み込んだろうを溶かすこと、使用する正しいサイズの型を選択すること、型の底に少量のろうを計量配分すること、および組織標本を注意深く方向付けることを伴う。標本を正確に位置付けることは重大である。なぜなら、標本の切断は、所望の細胞を露出させるよう、適切な平面で行なわれなければならないためである。次にカセット固定具（ミクロトーム用の保持固定具）が型の上部に配置され、追加のろうが計量配分されて固定具をブロックに包埋し、次にパラフィンブロックが冷やされてろうが固化する。次にブロックが型から取外されて、切断されるためにミクロトーム上に取付けられる状態となる。組織サンプルが研究室に到着した時点からブロックがミクロトーム上に取付けられる時点までのこのプロセスは、組織サンプルに基づく診断の提供にかなりの遅延を加える。
【発明の概要】
【発明が解決しようとする課題】
【０００５】
このプロセスにかかる時間を減らすために、いくつかのステップがさまざまな程度ですでに自動化されている。しかしながら、包埋プロセスといった他のステップは、多数の研究室で手動または半自動のままとなっている。手動包埋プロセスは通常、１時間に平均４０〜６０サンプルという遅いプロセスであり、また、組織学技術者が大半の時間を個々のカセットの取り扱いに費やすことを必要とする、大きな労働力を要する作業であることもわかっている。この作業の反復的な性質はまた、組織学技術者を反復運動損傷のリスクにさらす。さらに、このプロセスは多くの手動ステップを伴うため、組織識別情報の混同といったエラーの発生リスクが高まる。組織学研究室におけるプロセスの自動化は、所要時間を減らすために有益であると考えられており、自動包埋によって支援することが可能である。
【課題を解決するための手段】
【０００６】
組織カセットの取扱いを含む包埋プロセスを自動化するための改良された方法および装置に対する要求が残っている。この発明は、先行技術に関連する問題を克服または少なくとも緩和すること、もしくは有用な代替案を提供することを目的とする。
【０００７】
概要
第１の局面では、この発明は、サンプルキャリアのための少なくとも１つの受部を含む、サンプルキャリア支持体であって、受部は、サンプルキャリアを位置付けるための第１の位置と、サンプルキャリアのある部分を別の部分から分離するための第２の位置とを有している、サンプルキャリア支持体を提供する。
【０００８】
一形態では、サンプルキャリアは、組織カセットと型とを含む。
別の形態では、型は、受部に型を第１および第２の位置に位置付けるようにされた位置付け器と、型および組織カセットが第１の位置にある間に、型に組織カセットを保持する解除可能なコネクタとを有する。
【０００９】
さらに別の形態では、組織を包埋する方法であって、
ａ．組織を型内に配置し、組織を適所に方向付けるステップと、
ｂ．キャリアを形成するためにカセットを型に取付けるステップと、
ｃ．少なくとも１つのキャリアをラック内に配置するステップと、
ｄ．ラックを包埋材料の浴内に配置し、少なくとも１つのキャリアを充填するステップと、
ｅ．浴からラックを取出し、包埋材料を固化させるステップと、
ｆ．キャリアを第１の位置から第２の位置に動かすことによって、型をカセットから分割するステップとを含む、方法が開示される。
【００１０】
さらに別の形態では、包埋材料を受けるためのウェルと、組織カセットに型を解除可能に保持するためのコネクタと、型用の支持体に関連して型の第１の位置を規定するための突起とを含む、組織カセット用の型が開示される。
【００１１】
さらに別の形態では、組織および包埋材料を保持するためのウェルを有する本体と、支持体に対して型を適所に保持するための第１および第２の突起と、組織カセットを保持するためのコネクタとを含む、組織カセット用の型が開示される。好ましくは、包埋後、包埋材料がカセット上で固化することを防止するために、位置付け器およびコネクタは、組織カセットをラックから離して保持する。
【００１２】
以下に、この発明の好ましい実施の形態を単なる例示として、添付図面を参照して説明する。
【図面の簡単な説明】
【００１３】
【図１】サンプルキャリア支持体と係合するためのマウントを有する自動化包埋装置を示す図である。
【図２ａ】サンプルキャリアの図である。
【図２ｂ】サンプルキャリアの図である。
【図２ｃ】サンプルキャリアの図である。
【図３】図２ａ〜２ｃのサンプルキャリアと係合するサンプルキャリア支持体を示す図である。
【図４】図３のサンプルキャリア支持体およびサンプルキャリアの１区画の追加の図である。
【図５】図３のサンプルキャリア支持体およびサンプルキャリアの１区画のさらに別の図である。
【図６】図３のサンプルキャリア支持体およびサンプルキャリアの１区画の追加の図である。
【図７ａ】サンプルキャリアが第１の位置にあるサンプルキャリア支持体の側面図である。
【図７ｂ】サンプルキャリアが第１の位置にあるサンプルキャリア支持体の側面図である。
【図８ａ】サンプルキャリアが第２の位置にあるサンプルキャリア支持体の側面図である。
【図８ｂ】サンプルキャリアが第２の位置にあるサンプルキャリア支持体の側面図である。
【図９】分割器機構における図２のサンプルキャリア支持体の概略図である。
【発明を実施するための形態】
【００１４】
好ましい実施の形態の詳細な説明
以下に説明する装置および方法は選択された実施の形態であり、この発明はこれらの好ましい実施の形態に限定されない。図１〜９における装置および方法の要素の構成は、この発明を全く限定しない。この発明の装置および方法を達成するために利用可能な空間量といった他の設計要件に従って、装置および方法の要素を構成または修正することは、この発明の意図の範囲内である。
【００１５】
ここに使用されているように、「組織サンプル」という用語は、通常、生体細胞の集まりから作られ、単なる一例として生検サンプル、部検サンプル、外科的サンプル、細胞塗抹標本、細胞濃縮物、および培養細胞、ならびに微生物から作られたプレパラートを含む、人間、動物、または植物の組織といった方向付け可能な組織サンプルを指す。組織サンプルは一般に、顕微鏡スライド上に準備された材料のサンプルの顕微鏡検査が望ましい、特にサンプル内の細胞の構成を維持または制御すべきあらゆる材料を含む。
【００１６】
図１を参照して、一実施の形態が図３に示されているサンプルキャリア支持体３を１つ以上受取り、および／または格納するための、１つ以上のスロット３３の形をした入力ステーションおよびスロット４４の形をした出力ステーションを含む自動化包埋装置１０が、提供される。バッチ包埋器の一例が、出願人により提出された、「組織の取扱いおよび包埋のための装置ならびに方法」（Device and Method for Tissue Handling and Embedding）と題された国際特許ＷＯ２００８／０７４０７３号に開示されている。設けられる入力スロット３３および出力ステーション４４の数はモジュール式であってもよく、研究室のスループット要件に依存して異なる数のサンプルキャリア支持体を保持してもよい。入力および出力ステーションは、装置１０のランダムアクセスおよび連続動作を提供する。たとえば、多数のサンプルキャリア支持体を入力スロットに配置し、包埋の準備ができるまで並んで待機させ、それから出力スロットに格納することが可能であり、人間の介在なしでカセットの連続スループットを機器に提供する。本実施の形態では３つの入力スロットおよび３つの出力スロットが図示されているが、それよりも多い、または少ないスロットが設けられていてもよい。入力スロットの数が出力スロットの数と整合する必要はない。
【００１７】
入力スロット３３および出力スロット４４には、入力スロット３３および出力スロット４４におけるサンプルキャリア支持体３の存在を検出するセンサ（図示せず）が設けられていてもよい。
【００１８】
包埋装置１０は、サンプルキャリア支持体３を包埋チャンバ９に運ぶための移送アセンブリ７を含む。移送アセンブリ７は任意の形態の移送機構であってもよく、サンプルキャリア支持体３を包埋チャンバ９に運ぶのに好適な、ガントリー、主ネジ、回転式コンベア、電磁石、カム構成、水平多関節ロボットアーム（Selective Compliant Assembly Robot Arm: SCARA）、多軸アーム、直角座標ロボット、ＸＹロボット、またはＺシータロボットといった構成要素を含んでいてもよい。本実施の形態では、移送アセンブリは、サンプルキャリア支持体３を入力スロット３３から装置１の他の区域に動かすために使用されるＸＹＺロボットアームを含む。移送はまた、ユーザにより手動で行なわれてもよい。
【００１９】
移送アセンブリ７には、サンプルキャリア支持体３用の把持手段といった係合手段１１が設けられている。別の実施の形態では、係合手段１１は、サンプルキャリア支持体３と係合するよう、移送アセンブリ７がサンプルキャリア支持体３の一端の下に位置付けて、次に垂直に動かすフックである。他の実施の形態では、係合手段１１は、電磁石のシステム、吸着カップ、および／または、ソレノイド、モータ、水力学および／または空気力学によって作動される顎部材を含んでいてもよい。一形態では、フォークリフトスタイルの叉と、ラック３が叉から滑り落ちるのを防止するよう下方に動く電動式クランプとが使用されてもよい。このクランプは、ラック３をしっかりと保持するよう位置付け可能であり、または、ラック３が叉上で回転できるように後退可能である。
【００２０】
図１に示すように、図１に示すような包埋装置１０と一体となっていてもよい包埋チャンバ９が設けられる。包埋チャンバ９は、ある体積の包埋媒質１８を含有し、図３に示すようなサンプルキャリア支持体３を１つ以上受取るよう構成されている。このチャンバは、包埋材料を含有する貯蔵槽６６と流体連通していてもよい。一形態では、包埋チャンバ９は、１つ以上のサンプルキャリア支持体３を受入れるようにされたろう浴の形であってもよい。
【００２１】
装置１０に応じて任意の好適な包埋媒質が使用されてもよい。パラフィンは包埋媒質として公知であり、一般的に使用されているが、一例として、サクラファインテック（Sakura Finetek）により製造されたティッシュテック（TissueTek）Ｏ．Ｃ．Ｔ、エステル、微結晶性セルロース、蜜ろう、樹脂またはポリマー、たとえばメタクリレートといった他の包埋媒質も、包埋媒質として使用されてもよい。アラルダイト（Araldite）５０２キット、エポネート（Eponate）１２．ＴＭ．キット、およびグリコールメタクリレート（Glycol Methacrylate: GMA）キットを含む好適な樹脂およびポリマーは、カリフォルニア州レッディング（Redding）のテッドペッラ社（Ted Pella, Inc.）から入手可能である。パラフィン包埋材料を使用する場合、貯蔵槽６６およびチャンバ９は、ろうを溶かし、および／またはろうを適切な温度に保つために、ヒータを採用してもよい。一形態では、チャンバ９は、貯蔵槽６６内に配置された新しいろうを溶かすために、ヒータを有するであろう。
【００２２】
一実施の形態では、多数のサンプルキャリアにおいて包埋媒質を硬化したブロックへと冷却するために、装置１０は、冷却ユニット１５（図示せず）を含む冷却チャンバ１３といった冷却部材を含む。冷却チャンバ１３へのアクセスは、冷却チャンバ１３の各端に位置する自動スライドドア１７を介して行なわれてもよい。冷却チャンバ１３は、１つ以上のサンプルキャリア支持体３を同時に冷却するよう構成されていてもよい。多数の異なる冷却部材が可能である。
【００２３】
一実施の形態（図示せず）では、部材を包囲する周囲の空気が組織支持体およびそこに保持された包埋材料を冷却するよう、サンプルキャリア支持体３は支持体に放置されてもよい。組織支持体に強制的に空気を通してもよく、または空気の自然循環でも十分かもしれない。
【００２４】
図２ａ、図２ｂ、および図２ｃには、型２に取付けられた組織カセット１の３つの図が示されている。組織カセット１は、カセット１および型２の対向端で、クリップまたは抵触タイプ嵌合の形をしたコネクタによって型２に取付けられている。コネクタは解除可能である。本実施の形態では、型２を支持体３上に位置付けるために、前方タブ５０がカセット１の縁と係合する。支持体３の後部で、さらに別のタブ５２がカセット１と係合し、こうしてカセット１を型２に保持してサンプルキャリア５４を形成する。サンプルキャリア５４は、組織などのサンプルが型２上で方向付けられた後で形成され、その後、ここに説明される組織処理および包埋プロセスをそのまま進み得るキャリア５４を形成するために、カセット１が型１に取付けられてもよい。カセット１および型２は、実質的に水平に保持されるとサンプルキャリア内に溶けたろうを保有するような態様で接合される。型２は、組織および包埋材料を保持するためのウェルを有する本体を有しているのが、見てわかる。一形態では、これは、型２の側面がサンプルキャリア３の側面と接触して、流体漏れに対する障壁を形成することを伴う。包埋プロセスが終了した後では、組織は処理され、型２はろうで充填されているであろう。組織からサンプルを切り出すには、支持体から型部分を取外す必要がある。これを達成するために、以下の改良が開発された。
【００２５】
図３には、カセット１および型２から形成されたキャリア５４を保持する、ラック３の形をしたサンプルキャリア支持体が示されている。ラック３は、キャリアを受けて位置付けるようにされた複数の受部５９を有することが見てわかるが、図３には、明確にするために、たった１つのキャリア５４しか図示されていない。受部５９は、キャリア５４の型２と係合するようにされたアーム６０を含んでいてもよい。図２、図３、図７Ａ、図７Ｂ、図８Ａ、および図８Ｂでは、ガイド５６の形をしたラック位置付け器が型２上に見えており、ガイド５６は、型２のフランジ５８の係合部分と作用して、受部５９のアーム６０と相互作用し、キャリア５４を位置付ける。ラックに対して型および組織支持体を位置付ける他の方法があり、それらを以下に説明する。
【００２６】
図７Ａおよび図７Ｂでは、カセット１を有する型２から形成されたキャリア５４が、受部５９のアーム６０上に搭載されており、この場合、フランジ５８およびガイド５６はキャリアを適所にクリップ留めして、それを第１の位置に確実に位置付ける。ガイド５６の端にある壊れやすい／変形可能な脚６１は、ラック３へとさらに押込まれているキャリア５４に妨害を提供し、これにより第１の位置を規定する。図８Ａおよび図８Ｂでは、キャリア５４はラック３へとさらに押込まれており、脚６１は変形して、アーム６０の進路から外れている。脚６１を変形させる、または折る作用は、位置の変更に対する確実なフィードバックを提供し、比較的著しい力がない場合にはキャリア５４が第２の位置に動くことを防止する。第１の位置では、処理および包埋ステップ中、キャリア５４はラックのアーム６０上にしっかりと位置付けられ得る。図８Ａおよび図８Ｂでは、第２の位置までキャリア５４がラック３へとさらに押込まれ（矢印の方向）、それにより部分６が組織カセット１の後部を押上げているのが見てわかる。この部分６は、図７Ｂおよび図８Ｂでは傾斜路の形をしている。部分６は、アーム６０の一部として形成されている。アーム６０は、アームの垂直方向の厚みが、脚６１と組織カセット１の部分との間隙よりも小さいかまたは実質的に等しくなるよう、寸法決めされている。これにより、型２およびカセット１は、キャリア５４として共に押されると、アーム６０に、ひいてはラック３に搭載されるようになる。部分６は、カセット１と型２との間隙よりも厚く、したがって、カセット１および型２が第１の位置から第２の位置に動かされると、部分６はカセットを型から強制的に切り離す。このため、アームは型を保持しているものの、部分６はカセット１を型２から分離するようカセット１に作用する。本実施の形態では、型２はアーム６０、ガイド５６、およびフランジ５８によって拘束されているため、型２はラック３へと戻り、後方タブ５２をキャリア１から分離する。分離後、型２は組織カセット１と共に、それらが装填されたのとは逆方向にそれらを（手で、または別の機構を用いて）ラック３から引張ることにより、解除され得る。一実施の形態では、解除中、組織カセット１および型２は共に前方タブ５０によって保有されるが、ろう接続はすでに破壊されており、それらは容易に分離される。
【００２７】
図３では、支持体１は、ここにラックと呼ばれる配列構成で配置されている。他の実施の形態（図示せず）では、サンプルキャリア支持体３は、たった１つの受部５９、１列の受部、または他の構成を適宜有していてもよい。
【００２８】
図７Ａ、図７Ｂ、図８Ａ、および図８Ｂに示すように、一実施の形態では、型２はカセット１をラックのアーム６０から分離して、組織カセット１の下側とアーム６０との間に間隙を作り出す。包埋中、ラック３は実質的に垂直に位置付けられており、そのため型２は、そこに含有されたサンプルの周囲に包埋媒質を閉じ込める。カセット１とアーム６０との間隙は、ろうのブロックおよびカセットをミクロトームに挿入する前に、それらから冷却された包埋媒質を削り取る必要性をなくす。なぜなら、包埋媒質、たとえばろうは、型２およびアーム６０に付着しているものの、カセット１には付着していないためである。この発明の好ましい実施の形態の装置の動作中における包埋媒質の排出はまた、組織および型のサイズとは無関係な、サンプルキャリア５４における一定レベルのろうをもたらす。これは、型内の組織のサイズに依存して、型２およびカセット１を充填するのに異なる体積の包埋材料が必要とされる手動計量配分法に対する利点である。
【００２９】
図９には、分割器機構４の一例が示されている。分割器４は、ラック３の方へバー６５を動かす駆動機構（図示せず）を含む。ラック３は、カセット１が図３〜８Ｂに示すように方向付けられた状態で、分割器機構４に装填される。バーがラックの方に動くにつれて、それはキャリアを、図７Ａ〜７Ｂに示す第１の位置から、図８Ａおよび図８Ｂに示す第２の位置に押す。図９では、バー６５は、ラック３のキャリアの最上列に位置している。バー６５は、キャリアの次の列をラックの第１の位置から第２の位置に動かすよう、ラック３に対して動いてもよい。このプロセスは、全てのキャリアが型２から分離されるまで繰返されてもよい。分離後、ラックは垂直位置にあるため、キャリアは重力により型２内に保有される。カセット１も、重力および前方タブ５０により型２の上部に保持され、使用時、型２およびカセット１は単一のユニットとして引出されるであろう。型２およびカセット１は依然として互いに隣接しているものの、カセット１に取付けられたろうのブロックはすでに型２から分離されており、したがって、カセット１を型２から分離することは簡単なことである。
【００３０】
分離機機構が動作するのと同様に型２をラック３へと押込むことにより、手動でカセット１を型２から手動で分離することが可能である。これは、所望すれば、たとえば手動包埋を所望したならば、手動で行なわれてもよい。キャリア（型２およびカセット１）を第１の位置から第２の位置に動かすには、（本実施の形態の）脚６１の力に打ち勝つことだけが必要である。
【００３１】
別の実施の形態では、分割器機構は、１列または１段以上のキャリアを第１の位置から第２の位置に動かす多数のバーを有していてもよい。別の実施の形態（図示せず）では、分割器機構は１度に１つのキャリアしか動かさなくてもよい。
【００３２】
さまざまなサイズの組織支持体をサンプルキャリア支持体３に挿入することができる。一実施の形態では、図３に示すように、サンプルキャリア支持体３の容量は４８個の組織カセットである。サンプルキャリア支持体３は識別子を含んでいてもよく、この場合、識別子は、サンプルキャリア支持体３が装置１０によって識別され、運ばれるように、バーコード、ＲＦＩＤタグ、またはＯＣＲタグといった形状構成を含んでいてもよい。識別は、各サンプルキャリア支持体３に固有の識別子であってもよく、またはそれは、実行されるべき処理または包埋のタイプを指定する一般的な識別子であってもよい。識別子は、包埋ステーションまたは組織プロセッサもしくは他の装置と関連付けられ得る読取り器によって自動的に識別されてもよい。
【００３３】
一実施の形態では、サンプルキャリア支持体３は、ペロリス（Peloris）（登録商標）高速組織プロセッサ、またはティッシュテックＶＩＰ組織プロセッサといった組織プロセッサ機器のレトルトに適合している。たとえば、サンプルキャリア支持体３は、組織プロセッサのレトルトの範囲内に嵌合するようにされていてもよく、また、１つ以上のサンプルキャリア支持体３がレトルト内に効率的に嵌合しつつ、そこに保持された組織サンプルの効率的な処理を依然として可能とするように、積重ね可能となっていてもよい。包埋は、サンプルキャリア支持体３を組織プロセッサから自動化包埋装置１０に直接適用することによって達成されてもよい。
【００３４】
ろう浴の温度はユーザ要件に応じて変わる場合があるが、通常、包埋媒質の融点よりも高い温度に保たれる。典型的なろう浴の温度は、包埋媒質としてパラフィンろうが使用される場合、６５℃である。
【００３５】
代替的な一実施の形態では、カセット１はさまざまな機構によって型２上に位置付けられてもよい。方向付けの後、型２は、第１の位置から第２の位置に動かされた際にラック３から分割力を加えられると壊れるように設計された壊れやすい糊を用いて、カセット１に糊付けされてもよい。解除可能な取付け用の解除機構により、カセット１および型２を第１の位置から第２の位置に動かすことによってカセット１を型２から分離できるのであれば、壊れやすい形状構成、摩擦ロック形状構成、磁気、ジッパー、静電気、ベルクロ（Velcro（登録商標））、ガッファーテープ（gaffer tape）、およびブルタック（blu-tack）といった他の形の解除可能な取付け具が使用されてもよい。
【００３６】
この発明を好ましい実施の形態および実施例と関連して説明してきたが、上述の好ましい実施の形態の他の変形および変更が、この発明の範囲から逸脱することなく行なわれ得ることが、当業者には理解されるであろう。他の実施の形態が、ここに開示された明細書の検討または発明の実践から、当業者には明らかとなるであろう。明細書は単なる例示と考えられ、この発明の真の範囲および精神は添付されたクレームによって示される、ということが意図されている。
【００３７】
本明細書および添付されたクレーム全体を通して、特に断りのない限り、「含む」という単語、および「含んでいる」などの変形は、述べられた整数またはステップ、もしくは一群の整数またはステップの包含を意味しているものの、他の整数またはステップ、もしくは一群の整数またはステップの除外を意味していない、ということが理解されるであろう。
【００３８】
本明細書における、先行公開（またはそれから由来する情報）もしくは公知の事項の参照は、本明細書が関する努力の分野においてその先行公開（またはそれから由来する情報）もしくは公知の事項が一般的な常識の一部を形成することを確認、認定、または何らかの形で示唆するものではなく、またそう解釈されるべきではない。
【図１】
0005705727.tif 000002
【図２ａ】
0005705727.tif 000003
【図２ｂ】
0005705727.tif 000004
【図２ｃ】
0005705727.tif 000005
【図３】
0005705727.tif 000006
【図４】
0005705727.tif 000007
【図５】
0005705727.tif 000008
【図６】
0005705727.tif 000009
【図７Ａ】
0005705727.tif 000010
【図７Ｂ】
0005705727.tif 000011
【図８Ａ】
0005705727.tif 000012
【図８Ｂ】
0005705727.tif 000013
【図９】
0005705727.tif 000014